(57)【要約】      （修正有）【課題】画像監視装置全体を持ち運び可能にし、不法投棄をする者を確認して事後の摘発や予防に対処できるようにし、オペレータ室までの配線やインターネットを使用せず、商用電源のない山や海岸にも簡単に設置できるようにした画像監視装置を提供する。【解決手段】電源により移動体検知センサーが移動物体からの熱を検知すると検知信号をＯＮにし、その検知信号によりセンサー信号制御装置で設定時間内に所定回数徘徊する移動物体を確認した場合に限り、撮影カメラをＯＮにしてその移動物体を撮影し、これを録画装置で所要時間録画するようにしたことを特徴とする画像監視装置。【選択図】図２
0003150306.tif 000002
【実用新案登録請求の範囲】
【請求項１】
撮影カメラ、移動物体検知センサー、センサー信号制御装置、録画装置、及び独立式電源を持ち運び可能にしたものからなり、前記電源により前記センサーが移動物体を検知すると検知信号をＯＮにし、その検知信号により前記センサー信号制御装置で設定時間内に所定回数徘徊する移動物体をセンサー信号制御装置で確認した場合に限り前記撮影カメラをＯＮにしてその移動物体を撮影し、これを録画装置で所定時間録画するようにした画像監視装置。
【請求項２】
前記請求項１の画像監視装置を，独立電源タイマーで制御した画像監視装置。
【請求項３】
前記請求項１又は２における録画装置での録画媒体を，ＳＤカードやＣＦカードで取替え可能とした画像監視装置。
【請求項４】
前記前記請求項１乃至３のいずれかにおける撮影カメラと移動物体検知センサーを、固定具により支持物体の所定の高さに保持するようにした画像監視装置。
【考案の詳細な説明】
【技術分野】
【０００１】
本考案は、不法投棄などが行われている、あるいはその可能性のある場所に備え付けられるようにした画像監視装置に関する。
【背景技術】
【０００２】
監視システムとして広範囲の監視情報あるいは時間の経過の監視情報が犯罪や事故の未然防止に役立つために、複数の監視カメラと複数のセンサーを監視センサーで情報を収集するようにしたものがある（文献１）。また、カメラを視野外にまで撮影するために撮影画角を確定するようにしたものもある（文献２）。さらに、検知領域内を撮像する広角の監視カメラを備え、検知領域内に停止した物体を検知し、その検知されたときにカメラを駆動して停止物体の画像を採取してＰＣカードに記載するようにしたものも存在する(文献３)。事犯発生後にその行動をカメラで撮影し、その撮影データを警察や市区町村等に音声で告知するようにしたものもある（文献４）。そして、ＡＣ電源により監視空間を検知するセンサーと、メモリー付きカメラとを操作制御するコントローラーと、太陽電池パネルと電源ユニットを前記センサーで必要な時間帯のみ撮影を稼動できるようにしたものもある(文献５)。そしてまた、センサーにより、設定時間内に２回検出されたときにカメラで撮影を行ない、１回の撮影が終わると、例えば１時間撮影を停止することで、撮影回数とフイルムの取替え頻度を少なくしたものがある（文献６）。
【０００３】
しかし、文献１では犯罪や事故を未然に防止するようにしたものの、情報収集のために複数の監視カメラやセンサーを必要とし、即効性に疑問があり、設備や費用が嵩む問題がある。また、文献２のものはカメラ視野外においても撮影画角を確定するといったもので、不法投棄場等の特定視野を撮影するものには不向きである。さらに、文献３では停止した物体を検知してカメラを作動して録画するものであり、不審者など移動物体を撮影するに適したものではない。さらにまた、文献４の発明は事犯後に投影して警察等に音声告知するものであり、事前の予防効果を期待できるものではない。そして、文献５の考案はセンサーで必要時間帯を撮影できるようにしたものであるが、単に撮影が必要時間帯のみ稼動するものであるために、その時間帯では対象物体を全て拾ってしまい、大容量のバッテリーが必要で不経済である。そしてまた、文献６の発明は設定時間内で複数回移動する物体を撮影する点で経済性を考慮しているものの、装置破壊を防止するためにシャッターとストロボで１回撮影して、その後は例えば１時間休止するなどの考慮が必要である。
【先行技術文献】
【特許文献】
【０００４】
【特許文献１】特開２００６−８０６０１号公報
【特許文献２】特開２００５−２６９２０４号公報
【特許文献３】特開２００４−１５６０３号公報
【特許文献４】特開２００３−８５６７７号公報
【特許文献５】実用新案登録第３１１００４１号公報
【特許文献６】特開２００３−５１０７４号公報
【考案の概要】
【考案が解決しようとする課題】
【０００５】
本考案では、単に移動物体が設定時間内に所定回数移動した物体をセンサーで捉えてカメラで録画する装置といった装置だけでなく、装置全体の各構成要素である撮影カメラ、移動物体検知センサー、センサー信号制御装置、及びバッテリーのような独立電源を持ち運び可能にし、その上所要時間撮影したものを録画装置で録画するようにした。
【０００６】
また、本考案の別のものとして、画像監視装置の作動時間全体をタイマーで制御できるようにした。
さらに、他の考案として画像装置での記録媒体をＳＤカードやＣＦカードとして、移設前の画像監視装置の使用を、例えば一日分の監視をＳＤカードやＣＦカードの取替え可能にすることもできる。
そして、画像監視装置のうち撮影カメラと移動物体検知センサーを支持物体の然るべき処にロック付きベルトなどの固定具で保持することで、監視する者から判らないようにして移動物体を撮影するようにすることもできる。
【考案の効果】
【０００７】
本考案の画像監視装置は、ゴミの不法投棄などにおける、実際に必要な箇所限られた映像を入手でき、しかも別の場所においても持ち運び、再利用を可能にしている。
【図面の簡単な説明】
【０００８】
【図１】図１の（イ）（ロ）（ハ）は、本考案装置を樹木に取り付けた状態の全体概略図である。
【図２】図２は、本考案装置を作動する状態を示すブロック・ダイアグラムである。
【図３】図３は、図２の装置の動作を説明するフローチャートを示す。
【考案を実施するための形態】
【実施例】
【０００９】
以下に、本考案の好ましい実施例を説明する。
図１乃至図３において、１は撮影カメラ、２は非接触式移動体検知センサー、３は撮影用カメラとセンサーとを連結する取付本体であり、この本体３は固定具としてのロック付きベルト４により山間にある不法投棄場の樹木１８に取り付けられている。
６は、撮影用カメラ１とセンサー２とを伝送ケーブル５を介して接続している機械収納ボックスであり、該ボックス６にはヒンジ１９を介してドアー１４に鍵１５を、またボックス６の上部に盗難防止用を兼ねた鎖（図示せず）をとうすアイボルト１３を有する。機器収納ボックス６の中には、録画装置８、センサー信号制御装置９、タイマー１０等がリード線で連結して内蔵されている。
【００１０】
なお、１６はＳＤカードとかＣＦカード等の持ち運びが容易な記録媒体で、前記録画装置８に着脱自在にしている。そして、独立電源としてのバッテリー７に太陽電池１１を追加して併用してもよい。
【００１１】
次に、上記構造を用いた画像監視手順を図２と図３により説明する。
まず、バッテリー７から、例えば２４時間のタイマー１０によりセンサー２を稼動し、移動体検知センサー２が人体や自動車から照射される遠赤外線を検知する（step1）。こうして、センサーが人体や自動車などの移動物体を検知すると（step2）、センサー信号がOＮとなり<この間はタイマー１０の制御により、時刻管理を、例えば夕方１８時から朝６時までとする>（ｓtep3）、センサー信号制御装置が作動する<例えば、設定時間＜２０秒間に所定回数３回のセンサー検知回数とする＞（step4）。このセンサー２の作動を条件として、撮影カメラ１の電源がOＮになり（step5）またセンサー信号制御装置９から録画装置８へ録画信号が送られ、録画装置８の電源をOＮにして録画を開始する＜例えば３０秒間録画>（step6）。その後、前記カメラ１の電源をOＦＦにすることで録画を終了する（step7）。録画終了後は、一定期間（例えば１週間に１回）にバッテリー７を新しく交換するか、充電し、１日に一回記録媒体としてのＳＤカード１６を交換し、再生することで不法投棄の犯人を確認して以後の警察手続きに入る。なお、本画像監視装置は不法侵入の人間を検知するために待機し（step8）、翌日また上記作動を繰り返す。
【産業上の利用可能性】
【００１２】
本考案の画像監視装置は、ゴミの不法投棄などにおける、実際に必要な箇所限られた映像を入手でき、しかも別の場所においても持ち運び、再利用を可能にしている。
【符号の説明】
【００１３】
１撮影カメラ
２移動体検知センサー
７バッテリー（独立電源）
４固定具（ベルト）
８録画装置
９センサー信号制御装置
１０タイマー
【図１】
0003150306.tif 000003
【図２】
0003150306.tif 000004
【図３】
0003150306.tif 000005